(57)【要約】【課題】タッチパネルを有する表示部が把持する筐体に対して可動なときに、その表示部の開閉状態と、操作方向に応じて操作感度を変更し、操作者に快適な操作感を与えることを可能にした表示制御装置を提供すること。【解決手段】装置本体に対して可動自在で表示機能およびタッチパネル機能を有した表示部と、前記表示部の前記装置本体に対する可動位置を検知する開閉状態検知手段と、前記表示部表面へのタッチ操作方向を検知する操作方向検知手段と、前記装置本体を把持する把持部を備え、前記表示部が前記装置本体となす角が所定の角度以上であることを前記開閉状態検知手段が検知すると、前記表示部へのタッチ操作のうち、前記把持部に近づく方向である第１の方向へのタッチ操作感度と、前記把持部から遠ざかる方向である第２の方向へのタッチ操作感度を異ならせることを特徴とする。【選択図】  図７
2014067316.tif 000002
【特許請求の範囲】
【請求項１】
装置本体（１）に対して可動自在で表示機能およびタッチパネル機能を有した表示部（２８）と、
前記表示部（２８）の前記装置本体（１）に対する可動位置を検知する開閉状態検知手段（９２）と、
前記表示部（２８）表面へのタッチ操作方向を検知する操作方向検知手段（５０）と、
前記装置本体（１）を把持する把持部（９０）を備え、
前記表示部（２８）が前記装置本体（１）となす角が所定の角度以上であることを前記開閉状態検知手段（９２）が検知すると
前記表示部（２８）へのタッチ操作のうち、
前記把持部（９０）に近づく方向である第１の方向へのタッチ操作感度と、
前記把持部（９０）から遠ざかる方向である第２の方向へのタッチ操作感度を
異ならせることを特徴とする表示制御装置。
【請求項２】
前記第１の方向への操作感度を、前記第２の方向への操作感度よりも高く設定することを特徴とする請求項１に記載の表示制御装置。
【請求項３】
装置本体（１）に対して可動自在で表示機能およびタッチパネル機能を有した表示部（２８）と、
前記表示部（２８）の前記装置本体（１）に対する可動位置を検知する開閉状態検知手段（９２）と、
前記表示部（２８）表面へのタッチ操作方向を検知する操作方向検知手段（５０）と、
前記装置本体（１）を把持する把持部（９０）を備え、
前記表示部（２８）が前記装置本体（１）となす角が所定の角度以下であり、前記表示部（２８）の表示面が前記装置本体（１）と対向しない位置であることを前記開閉状態検知手段（９２）が検知すると
前記表示部（２８）のうち、前記把持部（９０）から最も遠い辺を含む左半分の領域である第１の領域と、前記把持部（９０）から最も近い辺を含む右半分の領域である第２の領域とで、同一方向へのタッチ操作感度を異ならせることを特徴とする表示制御装置。
【請求項４】
前記第１の領域について、前記把持部（９０）に近づく方向である第１の方向へのタッチ操作感度を前記把持部（９０）から遠ざかる方向である第２の方向へのタッチ操作感度よりも高く設定し、前記第２の領域について、前記第１の方向のタッチ操作感度を
前記第２の方向へのタッチ操作感度よりも低く設定することを特徴とする請求項３に記載の表示制御装置。
【請求項５】
前記表示部（２８）へフリック操作が行われると、前記タッチ操作感度の設定が行われることを特徴とする請求項１乃至請求項４の何れか１項に記載の表示制御装置。
【請求項６】
前記表示部（２８）のタッチパネル画面外に物体の接近を検知する近接検知手段（９５ａ）を備え、
前記開閉状態検知手段（９２）によって前記表示部（２８）が前記装置本体に対して
開状態であることを検知すると、
前記近接検知手段（９５ａ）により物体の近接が検知されない場合は、前記第１の方向へのタッチ操作感度を前記第２の方向へのタッチ操作感度よりも低く設定することを特徴とする請求項１、請求項２及び請求項５の何れか１項に記載の表示制御装置。
【請求項７】
前記装置本体（１）もしくは前記表示部（２８）の、前記把持部（９０）とは逆側の側面に物体の接近を検知する近接検知手段（９５ｂ）を備え、
前記開閉状態検知手段（９２）によって前記表示部（２８）が前記装置本体に対して
閉状態であることを検知すると、
前記近接検知手段（９５ｂ）により物体の近接が検知されない場合は、前記第１の方向へのタッチ操作感度を前記第２の方向へのタッチ操作感度よりも低く設定することを特徴とする請求項３乃至請求項６の何れか１項に記載の表示制御装置。
【発明の詳細な説明】
【技術分野】
【０００１】
本発明はタッチ操作機能を備えた表示制御装置に関するものである。
【背景技術】
【０００２】
近年、直感的な操作を可能にするタッチパネルを搭載した情報端末が普及しており、タッチパネルを活用した機能も増加している。特にスマートフォンなどにおいて実現されている、画像が表示されたタッチパネル上に素早く指を接触させ、ある程度の距離をスライド移動させた後、離す動作で次の画像を表示させる機能も、タッチパネルを活用した機能の一つである。このようなタッチパネル機能を、より操作者に使いやすく提供するために、画面内での操作感度を均一にせず、操作者とタッチパネルの位置関係に応じて操作感度を異ならせることで、誤操作を防ぎ、使い勝手を向上させる技術が開示されている。
【０００３】
特許文献１では感圧式座標入力装置において、操作者の手元側、即ち操作者から近い部分の感度を低くしておくことで手つきによる誤操作を防止する感圧式座標入力装置が開示されている。  特許文献２では、タッチパネル上をスライドする指先のスライド方向に応じた処理を行う場合、操作者から遠くへスライドする方向の認識感度を高くする電子機器が開示されている。特にタッチパネルを備えた電子機器の、操作者に対する取り付け位置によって、感度を高くする方向を操作者が設定することができる。
【先行技術文献】
【特許文献】
【０００４】
【特許文献１】特開平５−１４３２２６号公報
【特許文献２】特開２００６−２７７５８８号公報
【発明の概要】
【発明が解決しようとする課題】
【０００５】
一方で、バリアングルモニタやスライド式モニタといった、把持する筐体に対してタッチパネルを有する筐体の位置が可動な表示制御装置も普及してきている。そのような場合タッチパネルを操作するために使用しやすい手も、タッチパネルの位置によって変化してしまう。
【０００６】
特許文献１に開示された従来技術では、上述のようにタッチパネルの位置が操作者に対して変化した場合について考慮されていないために、タッチパネルの位置が変化した前後において、操作感度の分布を変更する技術思想の示唆はされていない。
【０００７】
そのため、例えばバリアングルモニタが開状態のときは左手がタッチパネルに近く、タッチパネルの操作感度を左手操作に適するように設定していても、閉状態のときに右手側もタッチパネルに近くなる場合は、逆に操作がしにくいといった問題があった。
【０００８】
また、特許文献２に開示された従来技術では、感度を高くするスライド方向は一つの画面について単一方向でしか考慮されていない。バリアングルモニタの開閉状態によっては両手を使用し、両方向からタッチ操作を行う位置が存在するため、左の手では操作しやすいが、右の手では逆に操作しにくくなってしまうという問題があった。
【０００９】
そこで、本発明は上記の問題を鑑みて、タッチパネルを有する表示部が把持する筐体に対して可動なときに、その表示部の開閉状態と、操作方向に応じて操作感度を変更し、操作者に快適な操作感を与えることを可能にした表示制御装置を提供することを目的としている。
【課題を解決するための手段】
【００１０】
上記目的を達成するために、本発明は、装置本体（１）に対して可動自在で表示機能およびタッチパネル機能を有した表示部（２８）と、
前記表示部（２８）の前記装置本体（１）に対する可動位置を検知する開閉状態検知手段（９２）と、
前記表示部（２８）表面へのタッチ操作方向を検知する操作方向検知手段（５０）と、
前記装置本体（１）を把持する把持部（９０）を備え、
前記表示部（２８）が前記装置本体（１）となす角が所定の角度以上であることを前記開閉状態検知手段（９２）が検知すると
前記表示部（２８）へのタッチ操作のうち、
前記把持部（９０）に近づく方向である第１の方向へのタッチ操作感度と、
前記把持部（９０）から遠ざかる方向である第２の方向へのタッチ操作感度を
異ならせることを特徴とする。
【００１１】
さらには、装置本体（１）に対して可動自在で表示機能およびタッチパネル機能を有した表示部（２８）と、
前記表示部（２８）の前記装置本体（１）に対する可動位置を検知する開閉状態検知手段（９２）と、
前記表示部（２８）表面へのタッチ操作方向を検知する操作方向検知手段（５０）と、
前記装置本体（１）を把持する把持部（９０）を備え、
前記表示部（２８）が前記装置本体（１）となす角が所定の角度以下であり、前記表示部（２８）の表示面が前記装置本体（１）と対向しない位置であることを前記開閉状態検知手段（９２）が検知すると
前記表示部（２８）のうち、前記把持部（９０）から最も遠い辺を含む略左半分の領域である第１の領域と、前記把持部（９０）から最も近い辺を含む略右半分の領域である第２の領域とで、同一方向へのタッチ操作感度を異ならせることを特徴とする。
【発明の効果】
【００１２】
本発明によれば、タッチパネルを有する表示部が把持する筐体に対して可動なときに、その表示部の開閉状態と、操作方向に応じて操作感度を変更し、操作者に快適な操作感を与えることを可能にした表示制御装置を提供することができる。
【図面の簡単な説明】
【００１３】
【図１】本発明の表示制御装置の一例であるデジタルカメラの外観図
【図２】本発明の表示制御装置の一例であるデジタルカメラの構成を示すブロック図
【図３】表示部の本体部に対する位置関係の変化を説明する図
【図４】表示部の本体部に対する位置関係を説明する図
【図５】表示部と本体部との位置関係により把持の仕方が変化することを示した図
【図６】指の接近および接触の読み取り方を説明する表示部断面の模式図
【図７】本発明の実施例１に係る動作を示すフローチャート
【図８】本発明の実施例２に係る動作を示すフローチャート
【発明を実施するための形態】
【００１４】
以下、図面を参照して本発明の好適な実施形態について説明する。
【００１５】
図１（ａ）、（ｂ）、（ｃ）に本発明の表示制御装置の一例として、本体部に対して表示部が回転可動なように連結されたバリアングルモニタを搭載したデジタルカメラの外観図を示す。図１（ａ）はデジタルカメラ１００の前面斜視図であり、図１（ｂ）はデジタルカメラ１００の背面斜視図である。また、図１（ｃ）はデジタルカメラ１００が表示部２８を本体部１に対して正位置開状態である場合の、背面斜視図である。
【００１６】
図１において、表示部２８は画像や各種情報を表示する表示部である。表示部２８はバリアングルヒンジ部９３によって本体部１と回転可能なように連結されており、その状態はバリアングル状態検知部９２（不図示）により検知される。
【００１７】
シャッターボタン６１は撮影指示を行うための操作部である。モード切り替えスイッチ６０は各種モードを切り替えるための操作部である。
【００１８】
端子カバー４０は該部機器との接続ケーブルとデジタルカメラ１００とを接続する接続ケーブル等のコネクタ（不図示）を保護するカバーである。
【００１９】
メイン電子ダイヤル７１は操作部７０に含まれる回転操作部材であり、このメイン電子ダイヤル７１を回すことで、シャッター速度や絞りなどの設定値の変更等が行える。
【００２０】
電源スイッチ７２はデジタルカメラ１００の電源のＯＮ及びＯＦＦを切り替える操作部材である。
【００２１】
十字キー７４は操作部７０に含まれ、上、下、左、右部分をそれぞれ押し込み可能で、十字キー７４の押した部分に応じた操作が可能であり、選択枠の移動や画像送りなどを行える。
【００２２】
ＳＥＴボタン７５は操作部７０に含まれ、押しボタンであり、主に選択項目の決定などに用いられる。
【００２３】
ＬＶボタン７６は操作部７０に含まれ、静止画撮影モードにおいてライブビュー（以下、ＬＶ）のＯＮとＯＦＦを切り替えるボタンである。
【００２４】
動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。
【００２５】
再生モードにおいては再生画像を拡大し、拡大率を増加させるための拡大ボタンとして機能する。
【００２６】
再生ボタン７８は操作部７０に含まれ、撮影モードと再生モードとを切り替える操作ボタンである。
【００２７】
撮影モード中に再生ボタン７８を押下することで再生モードに移行し、記録媒体２００に記録された画像のうち最新の画像を表示部２８に表示させることができる。
【００２８】
クイックリターンミラー１２は、システム制御部５０から指示されて、不図示のアクチュエータによりアップダウンされる。
【００２９】
通信端子１０はデジタルカメラ１００がレンズ側（着脱可能）と通信を行う為の通信端子である。
【００３０】
接眼ファインダ１６はフォーカシングスクリーン１３を観察することで、レンズユニット１５０を通して得た被写体の光学像の焦点や構図の確認を行うための覗き込み型のファインダである。
【００３１】
蓋２０２は記録媒体２００を格納したスロットの蓋である。グリップ部９０は、ユーザーがデジタルカメラ１００を構えた際に右手で握りやすい形状とした保持部である。
【００３２】
図２は、本実施例によるデジタルカメラ１００の構成例を示すブロック図である。
【００３３】
図２において、レンズユニット１５０は、交換可能な撮影レンズを搭載するレンズユニットである。
【００３４】
レンズ１０３は通常、複数枚のレンズから構成されるが、ここでは簡略して一枚のレンズのみで示している。
【００３５】
通信端子６はレンズユニット１５０がデジタルカメラ１００側と通信を行う為の通信端子であり、通信端子１０はデジタルカメラ１００がレンズユニット１５０側と通信を行う為の通信端子である。
【００３６】
レンズユニット１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００３７】
ＡＥセンサ１７は、レンズユニット１５０を通した被写体の輝度を測光する。
【００３８】
焦点検知部１１は、システム制御部５０にデフォーカス量情報を出力する。システム制御部５０はそれに基づいてレンズユニット１５０を制御し、位相差ＡＦを行う。
【００３９】
クイックリターンミラー１２（以下、ミラー１２）は、露光、ライブビュー撮影、動画撮影の際にシステム制御部５０から指示されて、不図示のアクチュエータによりアップダウンされる。
【００４０】
ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検知を行うための焦点検知部１１に入射するように透過させる。
【００４１】
撮影者は、ペンタプリズム１４とファインダ１６を介して、フォーカシングスクリーン１３を観察することで、レンズユニット１５０を通して得た被写体の光学像の焦点や構図の確認が可能となる。
【００４２】
フシャッター１０１は、システム制御部５０の制御で撮像素子部２２の露光時間を自由に制御できるフォーカルプレーンシャッターである。
【００４３】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００４４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００４５】
Ａ／Ｄ変換器２３からの出力データは、画像処理部２４及びメモリ制御部１５を介して、或いは、メモリ制御部１５を介してメモリ３２に直接書き込まれる。
【００４６】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００４７】
また、メモリ３２は画像表示用のメモリ（ビデオメモリ）を兼ねている。Ｄ／Ａ変換器２６は、メモリ３２に格納されている画像表示用のデータをアナログ信号に変換して表示部２８に供給する。
【００４８】
こうして、メモリ３２に書き込まれた表示用の画像データはＤ／Ａ変換器２６を介して表示部２８により表示される。表示部２８は、ＬＣＤ等の表示器上に、Ｄ／Ａ変換器２６からのアナログ信号に応じた表示を行う。
【００４９】
Ａ／Ｄ変換器２３によって一度Ａ／Ｄ変換されメモリ３２に蓄積されたデジタル信号をＤ／Ａ変換器２６においてアナログ変換し、表示部２８に逐次転送して表示することで、電子ビューファインダとして機能し、スルー画像表示（ライブビュー表示）を行える。
【００５０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施例にて後述する各種フローチャートを実行するためのプログラムのことである。
【００５１】
システム制御部５０は、デジタルカメラ１００全体を制御する。前述した不揮発性メモリ５６に記録されたプログラムを実行することで、後述する本実施例の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器２６、表示部２８等を制御することにより表示制御も行う。
【００５２】
システムタイマー５３は各種制御に用いる時間や、内蔵された時計の時間を計測する計時部である。
【００５３】
モード切り替えスイッチ６０、第１シャッタースイッチ６２、第２シャッタースイッチ６４、操作部７０はシステム制御部５０に各種の動作指示を入力するための操作手段である。
【００５４】
モード切り替えスイッチ６０は、システム制御部５０の動作モードを静止画記録モード、動画記録モード、再生モード等のいずれかに切り替える。
【００５５】
静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。
【００５６】
モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００５７】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００５８】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００５９】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００６０】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、十字キー７４、ＳＥＴボタン７５、ＬＶボタン７６、拡大ボタン７７、再生ボタン７８。
【００６１】
電源制御部８０は、電池検知回路、ＤＣ−ＤＣコンバータ、通電するブロックを切り替えるスイッチ回路等により構成され、電池の装着の有無、電池の種類、電池残量の検知を行う。また、電源制御部８０は、その検知結果及びシステム制御部５０の指示に基づいてＤＣ−ＤＣコンバータを制御し、必要な電圧を必要な期間、記録媒体２００を含む各部へ供給する。
【００６２】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００６３】
なお操作部７０の一つとして、表示部２８に対する接触を検知可能なタッチパネルを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザーが表示部２８上に表示された画面を直接的に操作可能であるかのようなＧＵＩを構成することができる。
【００６４】
システム制御部５０はタッチパネルへの以下の操作を検知できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バス１１１を通じてシステム制御部５０に通知され、システム制御部５０は通知された情報に基づいてタッチパネル上にどのような操作が行なわれたかを判定する。
【００６５】
ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。
【００６６】
素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。
【００６７】
所定距離以上を、所定速度以上でムーブしたことが検知され、そのままタッチアップが検知されるとフリックが行なわれたと判定できる。また、所定距離以上を、所定速度未満でムーブしたことが検知された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【実施例１】
【００６８】
以下に、本発明の好ましい第１の実施形態を、添付の図面に基づいて詳細に説明する。
【００６９】
まず図３を参照して、本体部１に対する表示部２８の可動方向について説明する。
【００７０】
図３において、表示部２８は、バリアングルヒンジ部９３（連結部）を介して、本体部１に対して、図示の開閉方向、上下反転方向の２軸で回転可能である。バリアングル状態検知部９２は、表示部２８が、開閉方向に所定の角度以上本体部１から開いた状態を開状態、それ以外の状態を閉状態とする検知結果をシステム制御部５０に出力する。またバリアングル状態検知部９２は、表示部２８が上下回転方向に所定の角度以上上方向にあるいは下方向に回転した状態を反転状態、それ以外の状態を正位置状態とする検知結果をシステム制御部５０に出力する。
【００７１】
バリアングル状態検知部９２は少なくとも、図４に示す位置関係を検知可能である。正位置収納状態（図４（ａ））：表示部２８が正位置状態で、かつ閉状態である状態。表示部２８に内蔵されたタッチパネルの表示面を本体部１に対向して閉じられた姿勢である。
【００７２】
正位置開状態（図４（ｂ））：表示部２８が正位置状態で、かつ開状態である状態。正位置収納状態から、表示部２８を、開閉方向に略１８０°開いた状態である。タッチパネルの表示面がデジタルカメラ１００の撮像面と反対側を向き、撮影者がグリップ部９０を右手で把持した場合にタッチパネルの表示面が撮影者から見えるように対向する姿勢である。
【００７３】
反転開状態（図４（ｃ））：表示部２８が反転状態で、かつ開状態である状態。正位置開状態から、表示部２８を、上下回転方向に略１８０°回転した状態である。
【００７４】
表示部２８の表示面がデジタルカメラ１００の撮像面と同じ側を向き、撮影者がグリップ部９０を右手で把持した場合に表示部２８の表示面が被写体側から見える姿勢であり、撮影者側からは表示部２８の背面が見えることになる。表示部２８の上下方向が、正位置開状態とは反対になる。
【００７５】
反転収納状態（図４（ｄ））：表示部２８が反転状態で、かつ閉状態である状態。反転開状態から、表示部２８を開閉方向に略１８０°回転して閉じた状態であり、表示部２８の背面が本体部１と対向し、表示面が露出する姿勢である。
【００７６】
反転収納状態においてタッチパネルを操作する場合、操作者は図５（ａ）に示すように右手でグリップ部９０を把持して、表示部２８が撮影者本人に対して対向するよう保持する。また左手は、表示部２８および本体部１が安定するように、グリップ部９０とは撮影光軸を挟んで逆側の本体部１の側面を覆うように添える。タッチパネルを操作して、例えば再生された画像をフリックすることで前後の画像を表示部２８に表示させたいような場合、操作者が画面右側から操作する際は右手の親指を、画面左側から操作する場合は、左手の親指を使用して画面を触りフリックを行う。この時、右手の親指の付け根は表示部２８よりも右側に位置しているため、右手親指によって画像を画面左方向にフリック操作したい場合、操作者は右手親指を左側に伸ばすように素早く操作しなければならず、人体の構造上やりづらいという問題がある。これは、左手親指を使用して画像を画面右側にフリック操作する場合も同様である。そのため本実施例では、図５（ａ）のような反転収納状態において画面右側領域における画面左側方向へのタッチ操作感度を、画面右側方向へのタッチ操作感度よりも高く設定することで、右手親指による画面左側へのフリック操作をしやすくする。
【００７７】
画面左側領域についても、同様に左右反転させた処理を行い、左手親指による画面右側へのフリック操作をしやすくする。
【００７８】
図５（ｂ）に示すように、表示部２８が正位置開状態の場合、撮影者の右手は表示部２８からカメラの本体部１を挟んで反対方向のグリップ部９０を把持しているために、右手は表示部２８に触ることが困難である。一方左手は表示部２８のバリアングルヒンジ部９３とは逆側面を覆い隠すように表示部２８に添えられる。この状態でタッチパネルを操作しようとするとタッチパネルの全領域を左手で操作することになるが、左手親指の付け根は表示部２８の左側領域に位置しているために、左手親指で画面右側方向へフリックしようとする場合、操作者は左手親指を右側に伸ばすように素早く操作しなければならず、人体の構造上やりづらいという問題がある。そこで本発明では、図５（ｂ）のような正位置開状態においては、画面右側方向へのタッチ操作感度を、画面左側方向へのタッチ操作感度よりも高く設定することで、左手親指による画面右側方向へのフリック操作をしやすくしている。
【００７９】
操作者が例えば自分撮りを行いたいような場合、表示部２８を反転開状態にすることで、操作者から表示部２８の表示内容が見えるようにカメラを保持する場合がある。表示部２８が反転開状態の場合、図５（ｃ）に示すように操作者の左手は表示部２８からカメラの本体部１を挟んで反対側のグリップ部９０を把持しているため、左手は表示部２８に触ることが困難である。一方右手は表示部２８のバリアングルヒンジ部とは逆側面を覆い隠すように表示部２８に添えられる。この状態は表示部２８が正位置開状態のときと配置が左右逆になるため、本発明では、図５（ｃ）のような反転開状態においては、画面側左方向への操作感度を、画面右側方向への操作感度よりも高く設定することで、右手親指による画面左側方向へのフリック操作をしやすくしている。
【００８０】
次に前記のような構成を有するデジタルカメラ１００の表示部２８の構成とタッチパネルの読み取り方を図６によって示す。図６は表示部２８を断面からみた模式図である。表示部２８の上層に配置されているタッチパネルは静電容量式のタッチパネルである。静電容量式タッチパネルは、マトリクス上に配置された複数のセンサ上に、指やタッチペンなどの電導物体が接近することによりセンサに発生する容量変化を非接触検知し、その容量変化領域の重心位置をシステム制御部５０が算出することで検知対象の２次元座標を取得している。また、その接近に伴って変化する静電容量には閾値が設定してあり、図６（ｂ）に示すように、ある閾値（第１閾値とする）を超えるとシステム制御部５０は検知対象が近接状態にあると判定する。第１閾値を超えて更に検知対象が接近し、図６（ｃ）に示すように別のある閾値（第２閾値とする）を超えると、システム制御部５０は検知対象が表示部２８の上層にあるガラス面に接触状態であると判定する。また、近接状態を検知すると、システム制御部５０はシステムタイマー５３により時間のカウントを開始し、検知対象の２次元座標および静電容量とともに時間のカウント量をシステムメモリへ一時記録する。これにより、検知対象の２次元平面内の移動速度、およびタッチパネルへの接近速度を算出する。検知対象がタッチパネルから離れ、静電容量が第１閾値を下回ると、システム制御部５０は検知対象の２次元座標および静電容量の記録と、時間のカウントを終了する。また、所定の時間以上経過すると、検知対象の２次元座標および静電容量の記録の始めの方より順次消去する。
【００８１】
次に前記のような構成を有する本実施例の動作を、図７のフローチャートに基づいて具体的に説明をする。
【００８２】
ステップＳ１にてバリアングル状態検知部９２の検知結果により、システム制御部５０は表示部２８が正位置収納状態であるかどうかを判別する。正位置収納状態であると判定された場合には、ステップＳ１を繰り返す。
【００８３】
ステップＳ１にて表示部２８が正位置収納状態以外であると判定された場合にはステップＳ２に移り、システム制御部５０はタッチパネルの機能をオンする。
【００８４】
ステップＳ２にてタッチパネルの機能がオンされた後、ステップＳ３でシステム制御部５０は検知対象である指がタッチパネルに対して接近状態かどうかを、センサの静電容量が第１閾値を超えたかどうかによって検知し、もし超えていればステップＳ４へ移る。もし超えていなければステップＳ３を繰り返す。
【００８５】
ステップＳ４でシステム制御部５０は接近状態にある指の２次元座標と、接近状態になってからの時間の記録を開始する。
【００８６】
続くステップＳ５では指がタッチパネルに更に接近し、ガラス面に接触状態になったかどうかをセンサの静電容量が第２閾値を超えたかどうかによってシステム制御部５０が検知し、もし超えていればステップＳ６へ移る。もし超えていなければステップＳ５を繰り返す。
【００８７】
ステップＳ６では接触状態になった瞬間の指の２次元座標と時間、および接近状態になったときの２次元座標と時間より、システム制御部５０は指が接近状態から接触状態になるまでの接近速度および移動速度を算出する。続くステップＳ７では、指が接近状態から接触状態になるまでの移動速度が所定速度よりも速く、接近速度が所定速度よりも遅い場合、フリックが行われると予測し、ステップＳ８へ移る。
【００８８】
ステップＳ８では、バリアングル状態検知部９２の検知結果により、表示部２８が反転収納状態にあるかどうかをシステム制御部５０が判定する。もし表示部２８が反転収納状態でないと判定されれば、ステップＳ９へ移り、システム制御部５０は指の移動方向が左方向かどうかを判定する。左方向である場合はステップＳ１４へ移り、センサの静電容量が第２閾値を下回るまで、指が接触状態にあるとして、システム制御部５０は指の軌跡に応じた操作指令出力を行う。左方向でない場合は、ステップＳ１０で、第１閾値よりも高く、第２閾値より低い第３閾値を新たに設定し、ステップＳ１１へ移る。
【００８９】
ステップＳ１１ではセンサの静電容量が第３閾値を下回るまで、指が接触状態にあるとして、システム制御部５０は指の軌跡に応じた操作指令出力を行う。図６（ｄ）に示すように、第３閾値は第２閾値よりも低い値なので、ステップＳ１４のように第２閾値を下回ったことで指による操作指令入力を終えるのに比べ、ステップＳ１１ではより感度高く指の動きを操作指令入力として使うことができる。
【００９０】
一方、ステップＳ８でもし表示部２８が反転収納状態にあると判定されれば、ステップＳ１２へ移り、指が接触状態になった際の座標が、表示部２８の画面左側半分の領域であったかどうかを判定する。画面左側半分の領域であった場合はステップＳ９へ移る。画面左側半分の領域でなかった場合は、ステップＳ１３に移り、指の移動方向が画面左方向かどうかを判定する。指の移動方向が画面左方向である場合はステップＳ１０へ移る。画面右方向であった場合はステップＳ１４へ移る。
【００９１】
ステップＳ７で、フリックではないと予測された場合もステップＳ１４へ移る。フリック以外のムーブが行われた場合、システム制御部５０が感度変更を行わない制御を行っておくことで、指が表示部２８のガラス面から離れ、センサの静電容量も第２閾値を下回った後に、指の動きによって画面上のアイコンなどが操作されてしまうことを防ぐことができる。
【００９２】
以上のように本発明の第１の実施例の形態によれば、カメラの本体部１に対する表示部２８の状態と、操作者がタッチした画面の座標、タッチ操作の種類、およびタッチ操作方向に応じて、タッチ操作感度を変更する。上述した内容の制御を行うことで、表示部２８の位置が変わり、操作者が両手を使ってタッチ操作するときでも、片手のみを使ってタッチ操作するときでも、それぞれの場面に応じた快適な操作感を与えることが可能な表示制御装置を提供することができる。
【実施例２】
【００９３】
以下、図１と図８を参照して、本発明の第２の実施例の形態による表示制御装置について説明する。
【００９４】
なお基本的な構成は実施例１とほぼ同一のため、実施例１とは異なる部分についてのみ記述する。
【００９５】
図１（ａ）および図１（ｃ）に示すように、表示部２８のバリアングルヒンジ部９３とは逆側側面には接近センサ９５ａが、またカメラの本体部（１）のグリップ部９０と逆側側面に接近センサ９５ｂが設けられており、指や手などの導電物体の接近を検知することができる。
【００９６】
次に図８のフローチャートに基づいて、前記のような構成を有する本実施例の動作を具体的に説明する。
【００９７】
ステップＳ２８でバリアングル状態検知部９２の検知結果により、表示部２８が反転収納状態かどうかをシステム制御部５０が判定するまでは実施例１のステップＳ８までと同様であるため、説明を省く。
【００９８】
次に表示部２８が反転収納状態でないと判定されステップＳ２９に移ると、前述の接近センサ９５ａにより、操作者の手が表示部２８のバリアングルヒンジ部９３とは逆側側面を覆っていないか検知する。もし覆っていることが検知された場合は、システム制御部５０は、操作をしている指は親指であると判断し、ステップＳ３０へ移る。ステップＳ３０以降の処理は実施例１でのステップＳ９以降と同様であるため、説明を省く。
【００９９】
一方ステップＳ２９にて、操作者の左手が表示部２８のバリアングルヒンジ部９３とは逆側側面を覆っていないと検知された場合は、操作されている指は親指でないと判定され、ステップＳ３５へ移る。ステップＳ３５ではシステム制御部５０は指の移動方向が左方向かどうかを判定する。左方向であると判定された場合にはステップＳ３１へと移る。ステップＳ３１以降の処理は実施例１でのステップＳ１０以降と同様であるため、説明を省く。
【０１００】
ステップＳ３５で左方向でないと判定された場合にはステップＳ３６へと移る。ステップＳ３６での処理は実施例１でのステップＳ１４と同様であるため、説明を省く。
【０１０１】
一方で、ステップＳ２８で表示部２８が反転収納状態であると判定されるとステップＳ３３へ移る。ステップＳ３３では指が接触状態になった際の座標が画面左側半分の領域であったかどうかを判定する。画面左側であった場合はステップＳ２９へ移り、前述の接近センサ９５ｂにより、操作者の手がカメラの本体部（１）のグリップ部９０とは逆側側面を覆っていないか検知する。もし覆っていることが検知された場合は、システム制御部５０は、操作をしている指は親指であると判断し、ステップＳ３０へ移る。もし覆っていないと検知された場合は、操作されている指は親指でないと判定され、ステップＳ３５へ移る。ステップＳ３３で指が接触状態になった際の座標が画面左側半分の領域でなかったと判定された場合、ステップＳ３４へ移る。ステップＳ３４以降の処理は実施例１でのステップＳ１３以降と同様であるため説明を省く。
【０１０２】
このように、タッチパネルを操作している指が左手親指でなく左手人指し指などの場合、フリックしにくい方向が親指の時とは逆に左方向となるため、本発明の第２の実施例の形態では、使用している指の種類を検知し、その指に応じた操作感度の変更を行う。これにより、操作者が両手で把持していない場合にでも、タッチパネル上での操作をしやすい表示制御装置を提供することができる。
【０１０３】
なお実施例２では近接センサをタッチパネルと別に設けているが、表示部２８の上層に設けられたタッチパネルを表示部２８の側面まで延伸し、これを近接検知手段として用いても構わない。
【０１０４】
また、実施例１、２において静電容量式のタッチパネルを使用しているが、これは一例であり、他のタッチパネルの方式を用いても本発明の意図する効果を実現することは可能である。
【０１０５】
更に、実施例１、２ではステップＳ１２、ステップＳ３３で指が接触状態になった際の座標が画面左側半分の領域であるかどうかで判別したが、表示部２８の画面の半分ではなく、カメラ全体の横幅を２等分する線よりも左側の領域であったかどうかで判別をしても良い。
【０１０６】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【０１０７】
以上説明したように、本発明によればタッチパネルを有する表示部が把持する筐体に対して可動なときに、その表示部の開閉状態と、操作方向に応じて操作感度を変更し、操作者に快適な操作感を与えることを可能にした表示制御装置を提供することが可能となる。
【符号の説明】
【０１０８】
１  本体部
２８  表示部
１００  デジタルカメラ
【図１】
2014067316.tif 000003
【図２】
2014067316.tif 000004
【図３】
2014067316.tif 000005
【図４】
2014067316.tif 000006
【図５】
2014067316.tif 000007
【図６】
2014067316.tif 000008
【図７】
2014067316.tif 000009
【図８】
2014067316.tif 000010